(57)【要約】【課題】斜めにデスプレイパネルを保持するためのカバーパネルを提供すること。【解決手段】カバーパネルは、情報表示手段（たとえばペーパーフオルダ、ペーパーバインダー、本、電子ディスプレイ）によって使用される。カバーパネルは、主接合部でデスプレイパネルに接続されている。カバーパネルは、副接合部で上部と下部とに分割されている。カバーパネルが開かれる時、スイングされた下部は机上に延在される。下部及び副接合部は省略されることができる。【選択図】図１
2013114016.tif 000002
【特許請求の範囲】
【請求項１】
カバーパネル（２）をスイング可能な主接合部（５１）を通じてデスプレイパネル（１）に接続されるデスプレイパネル斜設用カバーパネルにおいて、
カバーパネル(２)は、上部(２１)、下部(２２)及び副接合部(５２)を有し、
上部(２１)を下部(２２)に接続する副接合部(５２)は、下部(２２)をスイング可能であり、
カバーパネル(2)は、デスプレイパネル(1)を机上(6)に斜設するために、机上(6)に延在可能に構成されていることを特徴とするデスプレイパネル斜設用カバーパネル。
【請求項２】
上部(２１)の形は、本質的に台形であり、
下部(２２)の形は、本質的に直角三角形であり、
副接合部(５２)は、下部(２２)の上端(２２A)を上部(２１)の下端(２１A)に接続する請求項１記載のカバーパネル。
【請求項３】
カバーパネル(２)は、デスプレイパネル(１)としてのバックカバーを有するペーパーフオルダのフロントカバーにより構成されている請求項１記載のカバーパネル。
【請求項４】
バックカバーは、ペーパー(４)を保持するためのペーパーキーパー（３、８、１e）を有する請求項３記載のカバーパネル。
【請求項５】
カバーパネル(２)は、ハードカバー形式の本のフロントカバーにより構成されている請求項１記載のカバーパネル。
【請求項６】
カバーパネル(２)は、電子デスプレイ（１１）をもつ電子装置（１０）に締結されている請求項１記載のカバーパネル。
【請求項７】
カバーパネル(２)は、電子装置（１０）とカバーパネル(２)との間にまっすぐに延在する主接合部(５１)と平行に延在する第２副接合部(５３)を有し、
第２の副接合部（５３）は、上部（２１）を内側部分（２１A）と外側部分（２２B）とに分割し、
第２の副接合部（５３）は、さらに下部（２２）を内側部分（２２A）と外側部分（２２B）とに分割する請求項６記載のカバーパネル。
【請求項８】
カバーパネル（２）をスイング可能な主接合部（５１）を通じてデスプレイパネル（１）に接続されるデスプレイパネル斜設用カバーパネルにおいて、
カバーパネル(２)は、デスプレイパネル(１)としてのバックカバーを有するペーパーフオルダのフロントカバーにより構成され、
カバーパネル(２)は、斜めに延在する下端（２１A）を有し、
カバーパネル(２)の内側端（２１X）は、カバーパネル(２)の外側端（２１Y）よりも長いことを特徴とするデスプレイパネル斜設用カバーパネル。
【発明の詳細な説明】
【技術分野】
【０００１】
本発明は、デスプレイパネルを斜めに保持するためのカバーパネルに関し、特にパネルスタンドを兼ねるカバーパネルに関する。
【背景技術】
【０００２】
ペーパー、本、電子ですプレイにとって、表示面を斜めに保持することは好適である。本は、小説、絵本及び料理本を含む。一般に、ペーパースタンドやブックスタンドが、ペーパーや本を斜めに保持するために用いられる。たとえば、米国特許第４,５５５,１２８号はブックスタンドを提案している。けれども、従来のブックスタンドは、取扱い及び移動に不便であり、机の上を占有する。
【先行技術文献】
【特許文献】
【０００３】
【特許文献１】米国特許４,５５５,１２８号公報
【発明の概要】
【０００４】
本発明の目的は、デスプレイパネルを斜めに保持するためのカバーパネルを提供することである。本発明の他の目的は、カバーパネルからなる簡便なカバーパネルを提供することである。本発明のカバーパネルは、情報パネル（たとえばペーパーフオルダ、パーパーバインダー、本）により採用されることができる。さらに、電子ディスプレイをもつスマートフオン及びタブレットコンピュータは、本発明のカバーパネルを使用することができる。
【０００５】
本発明のカバーパネルは、主接合部によりデスプレイパネルに接続（締結）される。デスプレイパネルの表示面を保護するためのカバーパネルは、視聴のために主接合部の回りに回される。カバーパネルは上部と下部に分割され、上部及び下部は、副接合部で互いに接続（締結）される。デスプレイパネルが机上に斜めに置かれる時、下部はスイングされる。上部がデスプレイパネルと直角に延在することが好適である。
【０００６】
デスプレイパネルが机上に斜めに置かれる時、カバーパネルの下部は机トップに沿って延在する。デスプレイパネルの不完全な保護が許されるならば、カバーパネルの下部は省略されることができる。デスプレイパネルを覆い、保護するカバーパネルは、机上に立っているデスプレイパネルを斜めに支持することができる。ユーザーは、デスプレイパネルの斜めの姿勢を保つために、従来のスタンドを取り扱ったり、持ち運ぶ必要がない。
【０００７】
好適態様によれば、カバーパネルは、カバーパネルとデスプレイパネルの間にまっすぐに延在する主接合部と平行して延在する第２の副接合部を有する。カバーパネルは、２つの副接合部によって互いに接続（締結）される４つの部分に分割される。したがって、デスプレイパネルは、２つの斜め姿勢をとることができる。
【図面の簡単な説明】
【０００８】
【図１】図１は、バックカバー（バックパネル）とフロントカバー（カバーパネル）を有して立っているペーパーフォルダの概略斜視図である。
【図２】図２は、ペーパーフオルダの開けられた形を示す立面図である。
【図３】図３は、図２に示される開けられたペーパーフオルダを示す平面図である。
【図４】図４は、図１に示されるところの立っているペーパーフオルダを示す平面図である。
【図５】図５は、ペーパーフオルダの閉じている形を示す立面図である。
【図６】図６は、図１に示されるところの立っているペーパーフオルダを示す側面図である。
【図７】図７は、図１に示されるところの立っているペーパーフオルダを示す立面図である。
【図８】図８は、堅いバックカバーと堅いフロントカバーを含むハードカバーをもつ本の開けられた形を示す略正面図である。
【図９】図９は、堅いバックカバーと堅いフロントカバーを備えるもう一つのペーパーフオルダの開けられた形を示す略正面図である。
【図１０】図１０は、ペーパーをもつもう一つのペーパーフオルダの開けられた形を示す略正面図である。
【図１１】図１１は、図１０に示されるペーパーレスのペーパーフオルダの開けられた形を示す略正面図である。
【図１２】図１２は、タブレットタイプのハンディコンピュータの開けられた形を示す略正面図である。
【図１３】図１３は、図１２に示されるハンディコンピュータを示す側面図である。
【図１４】図１４は、もう一つのペーパーフオルダを示す斜視図である。
【図１５】図１５は、図１４に示されるペーパーフオルダの立っている姿勢を示す立面図である。
【発明を実施するための形態】
【０００９】
第１実施例
第１実施例が、図１-７を参照して説明される。図１は、バックカバー（デスプレイパネル）により立っているペーパーフオルダ１とフロントカバー２（カバーパネル）を示す模式斜視図である。図２は、ペーパーフオルダの開けられた形を示す立面図である。図３は、図２に示される開けられたペーパーフオルダを示す平面図である。図４は、図１に示されるところの立っているペーパーフオルダを示す平面図である。図５は、ペーパーフオルダの閉じている形を示す立面図である。図６は、図１に示されるところの立っているペーパーフオルダを示す側面図である。図７は、図１に示されるところの立っているペーパーフオルダを示す立面図である。
【００１０】
バックカバー１は、ペーパー４をクランプしているクランプ（ペーパーキーパー）を備えている。堅いバックカバー１は、所定厚さの厚紙ボードまたはプラスチック板で作られている。バックカバー１の最上部位に取り付けられたクランプ３は、クランプのためのバネ部材を備えている。クランプ３は、プラスチック部材または金属部材と作られる。どんなタイプのクランプ機構も使用されることができる。ペーパー４は、クランプ３でバックカバー１の内面１Cに載せられている。堅いフロントカバー２は、所定厚さの厚紙ボードまたはプラスチックプレートで製造されている。
【００１１】
フロントカバー２は、台形の上部２１及び直角三角形の下部２２を有している。上部２１及び下部２２は、互いに分離されている。上部２１及び下部２２が同方向へ延在する時、フロントカバー２は、長方形のバックカバー１と本質的に同形となる。上部２１の下端２１Aは、下部２２の上端２２Aに隣接している。
【００１２】
さらに、上部２１の右端２１Bは、バックカバー１の左端１Bに隣接している。図１は、上部２１の内面２１C、下部２２の内面２２C及びバックカバー１の内面１Cを示す。プラスチックのカバーシート５（図１には示されない）は、バックカバー１及びフロントカバー２の内面２１C、２２C及び１C及び外面の両方に接着される。プラスチックのカバーシート５が、バックカバー１及びフロントカバー２の内面２１C、２２C及び１C及び外面の一方に接着されることも可能である。
【００１３】
プラスチックカバーシート５は、主接合部５１と副接合部５２を形成している。主接合部５１は、プラスチックカバーシート５の線形部分により構成されている。真っ直ぐに延在する主接合部５１は、上部２１の右端２１B及びバックカバー１の左端１Bに隣接している。副接合部５２は、斜めに延在するプラスチックカバーシート５の線形部分により構成されている。副接合部５２は、上部２１の下部の端２１A及び下部２２の上の端２２Aに隣接している。
【００１４】
フロントカバー２の上部２１は、端２１B及び１Ａの回りをスイング（回動）することができる。同様に、フロントカバー２の下部２２は、端２１A及び２２Aの回りををスイング（回動）することができる。言い換えれば、上部２１は、主接合部５１に沿って延在する仮想軸１００のまわりをX-X方向へ回動することができる。同様に、下部２２は、副接合部５２に沿って延在する仮想軸２００のまわりをY-Y方向へ回動することができる。結局、プラスチックカバーシート５は、端１B、２１B、２１A及び２２Aに沿って形成される２つのヒンジを構成している。結局、バックカバー１、上部２１及び下部２２は、プラスチックカバーシート５に粘着して締結されている。プラスチックカバーシート５の代わりにどんなヒンジ機構でも使用されることができる。
【００１５】
図１の中で、バックカバー１の下端１Dは、平らな机上６の上にある。下部２２の外面は、平らな机上６の上にある。フロントパネル２の上部２１とバックカバー１との間の角度は、ほぼ９０度である。上部２１と下部２２との間の角度は、ほぼ９０度である。したがって、ペーパーフオルダは、平らな机上６に斜めに立っている。ペーパー４は、バックパネル１の上に斜めに延在している。２つの端１Bと２１Bの間に脊部を使用するも可能である。隣接する２つの端１B、２１Bの間にプラスチックカバーシート５が所定の線形ギャップをもつならば、脊部はプラスチックカバーシート５で形成されることができる。
【００１６】
第２実施例
第２実施例が、図８を参照して説明される。図８は、バックカバー１及びフロントカバー２を含むハードカバーを有する開かれた本を示す略正面図である。本は、多くの紙片７をもつ。堅いバックカバー１と堅いフロントカバー２の構造は、図１-７に示されるペーパーフオルダのバックカバー１及びフロントカバー２と本質的に同形である。
【００１７】
第３実施例
第３実施例が、図９を参照して説明される。図９は、堅いバックカバー１と堅いフロントカバー２をもつ開かれたペーパーフオルダの他を示す略正面図である。図９に示されるペーパーフオルダは、図１-７に示されるペーパーフオルダと、基本的に同じである。しかし、図９に示されるペーパーフオルダは、下部２２及び副接合部５２を有していない。
【００１８】
下部２２の代わりに、図９に示されるペーパーフオルダは、厚紙板でできているベルト形の紙保持部（ペーパーキーパー）を有している。紙保持部８は、バックカバー１の内面１Cの下部に取り付けられる。紙保持部８の下端８Cは、バックカバー１の下端１Dに固着されている。さらに、紙保持部８の側端８A、８Bの一方又は両方は、バックカバー１の側端の一方または両方に固着されている。
【００１９】
紙保持部８の上端８dは、バックカバー１の内面１Cに固着されていない。ペーパー４は、紙保持部８とバックカバー１との間に形成されたポケットに挿入されている。フロントカバー２の上部２１は、紙保持部８の上に横たわっている。したがって、ペーパーフオルダは、下部２２を省略することにより本質的に一定の厚さをもつ。フロントカバー２は、斜めに延在する下端２１Aを有している。フロントカバー２の内側端２１Xは、フロントカバー２の外端２１Yよりも長い。
【００２０】
第４実施例
第４実施例が、図１０、１１を参照して説明される。図１０、１１は、開かれたペーパーフオルダの他例を示す略正面図である。図１０に示されるペーパーフオルダは、ペーパー４を保持している。しかし、図１１に示されるペーパーフオルダはペーパー４を保持していない。図１０、１１に示されるペーパーフオルダは、バックカバー１で形成された紙保持部（紙キーパー）１eを有している。紙保持部１eは、U字形溝１fをバックカバー１の下部に形成することにより作られる。図１０に示されるように、ペーパー４の下部は、U字形溝１fに挿入されている。したがって、ペーパー４はバックカバー１に載置されている。
【００２１】
第５実施例
第５実施例が、図１２、１３を参照して説明される。図１２は、タブレット形式の開けられたハンディ・コンピュータ１０を示す略正面図である。図１３は、斜めに立っているタブレットコンピュータ１０を示す。タブレットコンピュータ１０は、フラットな電子ディスプレー１１を有フロントカバー（カバーパネル）２は、主接合部５１と平行に延在する第２の副接合部５３を有している。
【００２２】
したがって、第２の副接合部５３は、上部２１を内側部分２１Aと外側部分２１Bとに分割している。さらに、第２の副接合部５３は、下部２２を内側部分２２Aと外側部分２２Bとに分割している。外側部分２１B、２２Bは、第２の副接合部５３に沿って延在する仮想軸３００のまわりをZ-Z方向へ一緒に回動することができる。下部２２A、２２Bがスイングされる時、タブレットコンピュータ１０は縦の姿勢を取る。。
【００２３】
第６実施例
第６実施例が、図１４、１５を参照して説明される。図１４は、他のペーパーフオルダを示す斜視図である。図１５は、このペーパーフオルダの立っている姿勢を示す立面図である。図１４において、ペーパーフオルダは、部分的に開かれている。図１５において、ペーパーフオルダは、完全に開かれている。
【００２４】
堅いペーパーフオルダは、バックカバー１とフロントカバー２とセンターカバー９とを有している。それらは、各々、本質的に同じサイズを有している。図１４、１５に示されるペーパーフオルダは、センターカバー９以外は、図１-７に示されるペーパーフオルダと同じである。センターカバー９は、フロントカバー（カバーパネル）とバックカバー１との間に追加されている。センターカバー９は、第２の表示面を有している。したがって、ペーパーフオルダは、広い表示面をもつことができる。
【図１】
2013114016.tif 000003
【図２】
2013114016.tif 000004
【図３】
2013114016.tif 000005
【図４】
2013114016.tif 000006
【図５】
2013114016.tif 000007
【図６】
2013114016.tif 000008
【図７】
2013114016.tif 000009
【図８】
2013114016.tif 000010
【図９】
2013114016.tif 000011
【図１０】
2013114016.tif 000012
【図１１】
2013114016.tif 000013
【図１２】
2013114016.tif 000014
【図１３】
2013114016.tif 000015
【図１４】
2013114016.tif 000016
【図１５】
2013114016.tif 000017
【手続補正書】
【提出日】平成24年2月14日(2012.2.14)
【手続補正１】
【補正対象書類名】特許請求の範囲
【補正対象項目名】請求項１
【補正方法】変更
【補正の内容】
【請求項１】
カバーパネル（２）をスイング可能な主接合部（５１）を通じてデスプレイパネル（１）に接続されるデスプレイパネル斜設用カバーパネルにおいて、
カバーパネル(２)は、上部(２１)、下部(２２)及び副接合部(５２)を有し、
上部(２１)を下部(２２)に接続する副接合部(５２)は、下部(２２)をスイング可能であり、
カバーパネル(2)を机上に載置することで、デスプレイパネル(1)を机上(6)に斜設できるように構成されていることを特徴とするデスプレイパネル斜設用カバーパネル。
【手続補正２】
【補正対象書類名】特許請求の範囲
【補正対象項目名】請求項７
【補正方法】変更
【補正の内容】
【請求項７】
カバーパネル(２)は、電子装置（１０）とカバーパネル(２)との間にまっすぐに延在する主接合部(５１)と平行に延在する第２の副接合部(５３)を有し、
第２の副接合部（５３）は、上部（２１）を内側部分（２１A）と外側部分（２２B）とに分割し、
第２の副接合部（５３）は、さらに下部（２２）を内側部分（２２A）と外側部分（２２B）とに分割する請求項６記載のカバーパネル。
【手続補正３】
【補正対象書類名】特許請求の範囲
【補正対象項目名】請求項８
【補正方法】変更
【補正の内容】
【請求項８】
削除
【手続補正４】
【補正対象書類名】明細書
【補正対象項目名】０００２
【補正方法】変更
【補正の内容】
【０００２】
ペーパー、本、電子デスプレイにとって、表示面を斜めに保持することは好適である。本は、小説、絵本及び料理本を含む。一般に、ペーパースタンドやブックスタンドが、ペーパーや本を斜めに保持するために用いられる。たとえば、米国特許第４,５５５,１２８号はブックスタンドを提案している。けれども、従来のブックスタンドは、取扱い及び移動に不便であり、机の上を占有する。
【手続補正書】
【提出日】平成24年2月29日(2012.2.29)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
カバーパネル（２）をスイング可能な主接合部（５１）を通じてデスプレイパネル（１）に接続されるデスプレイパネル斜設用カバーパネルにおいて、
カバーパネル(２)は、上部(２１)、下部(２２)及び副接合部(５２)を有し、
上部(２１)を下部(２２)に接続する副接合部(５２)は、下部(２２)をスイング可能であり、
カバーパネル(2)を机上に載置することで、デスプレイパネル(1)を机上(6)に斜設できるように構成されていることを特徴とするデスプレイパネル斜設用カバーパネル。
【請求項２】
上部(２１)の形は、本質的に台形であり、
下部(２２)の形は、本質的に直角三角形であり、
副接合部(５２)は、下部(２２)の上端(２２A)を上部(２１)の下端(２１A)に接続する請
求項１記載のカバーパネル。
【請求項３】
カバーパネル(２)は、デスプレイパネル(１)としてのバックカバーを有するペーパーフオルダのフロントカバーにより構成されている請求項１記載のカバーパネル。
【請求項４】
バックカバーは、ペーパー(４)を保持するためのペーパーキーパー（３、８、１e）を有する請求項３記載のカバーパネル。
【請求項５】
カバーパネル(２)は、ハードカバー形式の本のフロントカバーにより構成されている請求項１記載のカバーパネル。
【請求項６】
カバーパネル(２)は、電子デスプレイ（１１）をもつ電子装置（１０）に取り付けられている請求項１記載のカバーパネル。
【請求項７】
カバーパネル(２)は、電子装置（１０）とカバーパネル(２)との間にまっすぐに延在する主接合部(５１)と平行に延在する第２の副接合部(５３)を有し、
第２の副接合部（５３）は、上部（２１）を内側部分（２１A）と外側部分（２２B）とに分割し、
第２の副接合部（５３）は、さらに下部（２２）を内側部分（２２A）と外側部分（２２B）とに分割する請求項６記載のカバーパネル。
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】削除
【補正の内容】
【手続補正書】
【提出日】平成24年4月24日(2012.4.24)
【手続補正１】
【補正対象書類名】特許請求の範囲
【補正対象項目名】全文
【補正方法】変更
【補正の内容】
【特許請求の範囲】
【請求項１】
カバーパネル（２）をスイング可能な主接合部（５１）を通じてデスプレイパネル（１）に接続されるデスプレイパネル斜設用カバーパネルにおいて、
カバーパネル(２)は、上部(２１)、下部(２２)及び副接合部(５２)を有し、
上部(２１)を下部(２２)に接続する副接合部(５２)は、下部(２２)をスイング可能であり、
カバーパネル(２)は、上部（２１）及び下部（２２）が同方向へ延在する時に長方形のデスプレイパネル（１）と本質的に同形に形成されてデスプレイパネル（１）の表示面としての内面（１C）を被覆保護し、かつ、カバーパネル(2)を開いて机上に載置することでデスプレイパネル(1)を机上(6)に斜設できるように構成されていることを特徴とするデスプレイパネル斜設用カバーパネル。
【請求項２】
上部(２１)の形は、本質的に台形であり、
下部(２２)の形は、本質的に直角三角形であり、
副接合部(５２)は、下部(２２)の上端(２２A)を上部(２１)の下端(２１A)に接続する請求項１記載のカバーパネル。
【請求項３】
カバーパネル(２)は、デスプレイパネル(１)としてのバックカバーを有するペーパーフオルダのフロントカバーにより構成されている請求項１記載のカバーパネル。
【請求項４】
バックカバーは、ペーパー(４)を保持するためのペーパーキーパー（３、８、１e）を有する請求項３記載のカバーパネル。
【請求項５】
カバーパネル(２)は、ハードカバー形式の本のフロントカバーにより構成されている請求項１記載のカバーパネル。
【請求項６】
カバーパネル(２)は、電子デスプレイ（１１）をもつ電子装置（１０）に取り付けられている請求項１記載のカバーパネル。
【請求項７】
カバーパネル(２)は、電子装置（１０）とカバーパネル(２)との間にまっすぐに延在する主接合部(５１)と平行に延在する第２の副接合部(５３)を有し、
第２の副接合部（５３）は、上部（２１）を内側部分（２１A）と外側部分（２２B）とに分割し、
第２の副接合部（５３）は、さらに下部（２２）を内側部分（２２A）と外側部分（２２B）とに分割する請求項６記載のカバーパネル。
【手続補正２】
【補正対象書類名】明細書
【補正対象項目名】０００５
【補正方法】変更
【補正の内容】
【０００５】
主接合部によりデスプレイパネルに接続（締結）される本発明のカバーパネルは、長方形のデスプレイパネル（１）と本質的に同形に形成されてデスプレイパネルの表示面を保護し、更に、視聴のために主接合部の回りに回される。カバーパネルは上部と下部に分割され、上部及び下部は、副接合部で互いに接続（締結）される。デスプレイパネルが机上に斜めに置かれる時、下部はスイングされる。上部がデスプレイパネルと直角に延在することが好適である。
【手続補正３】
【補正対象書類名】明細書
【補正対象項目名】０００６
【補正方法】変更
【補正の内容】
【０００６】
デスプレイパネルが机上に斜めに置かれる時、カバーパネルの下部は机トップに沿って延在する。したがって、デスプレイパネルを覆い、保護するカバーパネルは更に、机上に立っているデスプレイパネルを斜めに支持する。その結果、ユーザーは、デスプレイパネルの斜めの姿勢を保つために、従来のスタンドを取り扱ったり、持ち運ぶ必要がない。